(57)【要約】【課題】  生産性が向上してトータル的にコストの抑制が図れ、配電機器が実際に取り付けられる実フィールドにおいても操作性が向上する配電機器の端子カバーを提供する。【解決手段】  端子カバー２１は、一対の端子被覆部２１ａ，２１ｂ、連結部２１ｃ１，２１ｃ２、および係合部２１ｄから構成される。端子被覆部２１ａ，２１ｂは、電力量計２２の表示部２２ｃを挟んだ筐体両端部に設けられた一対の接続端子群を覆い、連結部２１ｃ１，２１ｃ２は表示部２２ｃの両側部において各端子被覆部２１ａ，２１ｂを連結する。表示部２２ｃの上下両端部には、長方形状の溝からなる被係合部２２ｄがそれぞれ左右２箇所に設けられている。端子カバー２１の係合部２１ｄは、表示部２２ｃの近傍に設けられた被係合部２２ｄと係合する位置に形成されており、各被係合部２２ｄに対応して４箇所に設けられ、爪部２１ｄ１が撓むことにより各被係合部２２ｄと係合する。【選択図】  図３
2013024767.tif 000002
【特許請求の範囲】
【請求項１】
配電機器の筐体の前面中央部を挟んだ筐体の両端部に設けられた一対の接続端子群を覆う一対の端子被覆部と、これら各端子被覆部を連結する連結部と、撓むことによって前記筐体に設けられた被係合部と係合する係合部とから構成される配電機器の端子カバー。
【請求項２】
前記係合部は、前記筐体の前面中央部近傍に設けられた前記被係合部と係合する位置に形成されていることを特徴とする請求項１に記載の配電機器の端子カバー。
【請求項３】
前記被係合部は前記筐体の前面中央部の両端部に設けられ、
前記係合部は、各前記被係合部に対応して設けられ、前記筐体の前面中央部側に力が加えられることで前記被係合部との係合を解く作用部を備えることを特徴とする請求項２に記載の配電機器の端子カバー。
【請求項４】
前記連結部は、前記筐体の前面中央部を覆う形状を有することを特徴とする請求項１から請求項３のいずれか１項に記載の配電機器の端子カバー。
【発明の詳細な説明】
【技術分野】
【０００１】
本発明は、配電機器の筐体の前面中央部を挟んだ筐体の両端部に設けられた一対の接続端子群を覆う配電機器の端子カバーに関するものである。
【背景技術】
【０００２】
従来この種の配電機器の端子カバーとしては、図１（ａ）の斜視図に示される配線用遮断器形の電子式電力量計１に用いられるものがある。この電力量計１は、筐体の前面中央部を挟んだ筐体両端部の電源側１ａおよび負荷側１ｂに、図示しない一対の電源接続端子群および負荷接続端子群を備える。電源接続端子群には電源側電線、負荷接続端子群には負荷側電線が接続され、電流は電源側１ａから負荷側１ｂへ電力量計１を貫通する。これら電源接続端子群および負荷接続端子群は、一般的に、同形状の端子カバー２ａおよび２ｂによって覆われ、工事作業者等の感電が防止される。
【０００３】
電力量計１は、筐体の前面中央部が電力量の計量値を表示する表示部１ｃとなっており、表示部１ｃの表面には透明カバー３が装着される。この透明カバー３は、特に強い紫外線や砂粒子などにより表示部１ｃの表面が損傷されるおそれのある環境に電力量計１が取り付けられる場合や、顧客の要望により、オプションとして装着される。透明カバー３は、同図（ａ）では一部破断して図示されており、電力量計１に取り付けられた状態の同図（ｂ）の部分斜視図に示すように、凸部３ａが電力量計１の凹部１ｄに係合し、スナップフィットして固定される。
【０００４】
端子カバー２ａおよび２ｂは電力量計１の筐体にネジ４によって取り付けられ、必要に応じて封印される。この封印は、ネジ４の頭部に設けられた貫通穴４ａと、凸部１ｅの貫通穴１ｅ１とにワイヤが通されて、結束されることで行われる。凸部１ｅは、電力量計１の筐体に突出して設けられており、その頭部に形成された貫通穴１ｅ１が端子カバー２ａおよび２ｂの表面に現れている。この封印により、ネジ４の回転が拘束され、端子カバー２ａおよび２ｂは電力量計１の筐体から取り外せなくなる。
【０００５】
また、配線用遮断器形の電子式電力量計に取り付けられる同様な端子カバーとして、特許文献１に開示されたものもある。この端子カバーも電源側および負荷側に同形状のものが２つ用いられ、ネジにより電力量計の筐体に取り付けられ、ネジの頭部に設けられた貫通穴が用いられて封印が行われる。
【０００６】
また、従来、図２（ａ）に示される配電機器の端子カバー１２ａ，１２ｂもある。なお、図２において図１と同一または相当する部分には同一符号を付してその説明は省略する。この端子カバー１２ａ，１２ｂも同形状をしているが、端子カバー１２ａ，１２ｂの長辺側の端部を電力量計１の筐体に設けられた突出部１ｆに引っ掛け、端子カバー１２ａ，１２ｂの短辺側の各両端部に形成された、同図に一部破断して示す凸部１２ｃを、同図（ｂ）の部分斜視図に示すように電力量計１の筐体に設けられた凹部１ｇにスナップフィットさせて固定することで、電力量計１に取り付ける。この端子カバー１２ａ，１２ｂは、凸部１ｅの貫通穴１ｅ１だけにワイヤが通されて結束されることで、封印される。
【先行技術文献】
【特許文献】
【０００７】
【特許文献１】特開２００６−２１４７６１号公報
【発明の概要】
【発明が解決しようとする課題】
【０００８】
しかしながら、上記従来の図１に示される配電機器の端子カバー２ａおよび２ｂ、および、特許文献１に開示された配電機器の端子カバーは、同形状の２つの端子カバー以外にネジ等の固定部材の材料費が発生すると共に、ネジを締結する作業が必要とされて組立費もかかる。このため、市場で一般的に要求される現状からのさらなる製品のコストダウンを図ることは出来ない。
【０００９】
また、上記従来の図２に示される配電機器の端子カバー１２ａ，１２ｂは、ネジを使わないで取り付けられるため、ネジ等の固定部材費用はかからないが、端子カバー１２ａ，１２ｂの凸部１２ｃと電力量計１の凹部１ｇとによるスナップフィットを解除するのに手間がかかる。つまり、端子カバー１２ａ，１２ｂを電力量計１から取り外す際に端子カバー１２ａ，１２ｂに手を掛ける手がかり部分が無いので、接続端子部近傍の空間に指を入れて端子カバー１２ａ，１２ｂの裏面を押し上げ、端子カバー１２ａ，１２ｂを強制的に引き剥がすようにスナップフィットを解除しなければならない。このため、上記従来の図２に示される端子カバー１２ａ，１２ｂは、操作性が悪く、また、指が接続端子部に近づくため、安全性にも難がある。
【００１０】
一方、端子カバー１２ａ，１２ｂの接続端子部から離れた短辺側の両端部に手を掛ける手がかりとなる凸部を設けようとしても、配線用遮断器形の電子式電力量計１は互いに密着した状態で横に並んで分電盤内に取り付けられることがあるため、電力量計１の側部外周に突出したこのような手がかりを端子カバー１２ａ，１２ｂに設けることは出来ない。また、端子カバー１２ａ，１２ｂの前面に、スナップフィットのラッチを指で解除操作できるラッチ解除機構を設けようとしても、端子カバー１２ａ，１２ｂの前面スペースが狭いため、困難である。
【課題を解決するための手段】
【００１１】
本発明はこのような課題を解決するためになされたもので、配電機器の筐体の前面中央部を挟んだ筐体の両端部に設けられた一対の接続端子群を覆う一対の端子被覆部と、これら各端子被覆部を連結する連結部と、撓むことによって筐体に設けられた被係合部と係合する係合部とから、配電機器の端子カバーを構成した。
【００１２】
この構成によれば、配電機器の一対の接続端子群を覆う一対の端子被覆部が連結部によって一体化されるので、配電機器の一対の接続端子群は１つの部品で覆われる。このため、従来の同形状の一対の端子カバーを用いて配電機器の一対の接続端子群を覆う場合に比べ、端子カバー自体の材料費が連結部の分だけ上昇するものの、部品数が減るため、ネジ等の固定部材費がかからなくなると共に、部品の検査費は半減する。また、端子カバーを配電機器に取り付けて工場から梱包出荷する際、一対の２つの端子カバーを配電機器の両端部にそれぞれ取り付ける従来の場合よりも、１つの端子カバーを配電機器に１回で取り付ける方が作業量が減るため、製造工程における機器梱包費なども半減する。このため、工場における生産性が向上してトータル的にコストの抑制が図れ、現状からのさらなる製品のコストダウンを図ることが可能になる。また、配電機器が実際に取り付けられる実フィールドにおいても、配電機器への電線の取り付け、取り外しに伴って行われる、端子カバーを配電機器に取り付けたり取り外したりする作業が容易になり、端子カバーの操作性が向上する。
【００１３】
また、本発明は、係合部が、筐体の前面中央部近傍に設けられた被係合部と係合する位置に形成されていることを特徴とする。
【００１４】
この構成によれば、端子カバーの係合部は、端子カバーの取り付け時に配電機器の前面中央部近傍に位置するため、被係合部との係合を指で解除することの出来る操作性の良い係合解除機構を係合部に設けるスペースが確保される。このため、端子カバーを配電機器から取り外す手がかりとなる係合解除機構を、配電機器の両側部外周に突出することなく備えた端子カバーを提供することが可能になり、配電機器を複数密着した状態で横並びに分電盤内に取り付けることも可能になる。さらに、係合部の形成位置が配電機器の接続端子群から離れ、係合部の操作時に工事作業者の指が接続端子群に近づかなくなるため、安全性が高まる。
【００１５】
また、本発明は、被係合部が筐体の前面中央部の両端部に設けられ、係合部が、各被係合部に対応して設けられ、筐体の前面中央部側に力が加えられることで被係合部との係合を解く作用部を備えることを特徴とする。
【００１６】
この構成によれば、作用部によって係合解除機構が構成され、各係合部の作用部が作業者の手で同時に摘まれて筐体の前面中央部側に力が加えられることで、係合部と被係合部との係合が簡単に解除される。このため、より操作性の向上した配電機器の端子カバーが提供される。
【００１７】
また、本発明は、連結部が、筐体の前面中央部を覆う形状を有することを特徴とする。
【００１８】
この構成によれば、筐体の前面中央部を覆う連結部が透明な材料で形成されることにより、連結部が透明カバーとして機能する。このため、端子カバーが従来の一対の端子カバーに加えて透明カバーとしても働き、１つの部品で働く機能が増えて配電機器の生産性はより一層向上する。
【発明の効果】
【００１９】
本発明によれば、工場における生産性が向上してトータル的にコストの抑制が図れ、また、配電機器が実際に取り付けられる実フィールドにおいても操作性が向上する配電機器の端子カバーが提供される。
【図面の簡単な説明】
【００２０】
【図１】従来の配電機器の端子カバーが取り付けられた配線用遮断器形の電子式電力量計の斜視図である。
【図２】別の従来の配電機器の端子カバーが取り付けられた配線用遮断器形の電子式電力量計の斜視図である。
【図３】（ａ）は本発明の一実施の形態による配電機器の端子カバーの斜視図、（ｂ）は（ａ）に示す端子カバーが取り付けられた配線用遮断器形の電子式電力量計の斜視図である。
【図４】（ａ）は図３に示す端子カバーの係合部と電力量計の被係合部とが係合した状態の部分断面図、（ｂ）は（ａ）に示す係合が解除されるときの部分断面図である。
【図５】一実施の形態の変形例による配電機器の端子カバーの斜視図である。
【発明を実施するための形態】
【００２１】
次に、本発明による配電機器の端子カバーを配線用遮断器形の電子式電力量計に適用した一実施の形態について説明する。
【００２２】
図３（ａ）は、本発明の一実施の形態による端子カバー２１、同図（ｂ）は同図（ａ）に示す端子カバー２１が取り付けられた配線用遮断器形の電子式電力量計２２の斜視図である。
【００２３】
配線用遮断器形の電子式電力量計２２は、その筐体が配線用遮断器と類似する形状を有した配電機器であり、配線用遮断器と同様な形で分電盤内に取り付けることが出来る。この電力量計２２は、電源側２２ａおよび負荷側２２ｂに図示しない接続端子群を備えており、電源側２２ａの接続端子群には電源側電線、負荷側２２ｂの接続端子群には負荷側電線がネジで締結されて接続される。電力量計２２の筐体の前面中央部には電力量の計量値を表示する表示部２２ｃが設けられ、この表示部２２ｃの表面にはプラスチック銘板が接着される。
【００２４】
端子カバー２１は、一対の端子被覆部２１ａ，２１ｂ、連結部２１ｃ１，２１ｃ２、および係合部２１ｄから構成され、電気的絶縁性を有する透明な樹脂材料によりこれらが一体成型されている。一対の端子被覆部２１ａ，２１ｂは、電力量計２２の表示部２２ｃを挟んだ筐体の上下両端部に設けられた一対の接続端子群を覆い、連結部２１ｃ１，２１ｃ２は表示部２２ｃの両側部においてこれら各端子被覆部２１ａ，２１ｂを連結する。ここで、端子カバー２１の最大幅は電力量計２２の最大幅を超えないように設計される。
【００２５】
電力量計２２の筐体の表示部２２ｃの上下両端部には、長方形状の溝からなる被係合部２２ｄがそれぞれ左右２箇所に設けられている。端子カバー２１の係合部２１ｄは、表示部２２ｃの近傍に設けられた被係合部２２ｄと係合する位置に形成されており、端子カバー２１の右下の係合部２１ｄの断面形状は同図（ｂ）に一部破断して示される。各係合部２１ｄは、各被係合部２２ｄに対応して４箇所に設けられ、端子カバー２１の裏面側に突出して形成された爪部２１ｄ１が撓むことにより、同図（ｂ）の一部破断部を拡大して示す図４（ａ）の部分断面図に示すように、爪部２１ｄ１が被係合部２２ｄに嵌合して、各被係合部２２ｄと係合する。なお、図４において図３と同一部分には同一符号を付してその説明は省略する。本実施の形態では、係合部２１ｄは、図４（ｂ）の部分断面図に示すように、電力量計２２の表示部２２ｃ側に向かう方向Ａへ力が加えられることで、被係合部２２ｄとの係合を解く作用部２１ｄ２を備える。図４に示す係合部２１ｄの長手方向中央部の点線部分は、爪部２１ｄ１と作用部２１ｄ２とを連結する基部２１ｄ３にある樹脂肉を示し、爪部２１ｄ１および作用部２１ｄ２はこの基部２１ｄ３周りに可撓性を有する。
【００２６】
また、図３に示すように、端子カバー２１の一対の端子被覆部２１ａ，２１ｂにはそれぞれ開口部２１ｅが形成されている。端子カバー２１が電力量計２２に取り付けられることで、電力量計２２の筐体に突出して設けられた凸部２２ｅの頭部が開口部２１ｅに露出し、凸部２２ｅの貫通穴２２ｅ１が端子カバー２１の表面に現れる。端子カバー２１の封印は、この貫通穴２２ｅ１にワイヤが通されて結束されることで、行われる。
【００２７】
このような本実施の形態による端子カバー２１によれば、電力量計２２の一対の接続端子群を覆う一対の端子被覆部２１ａ，２１ｂが連結部２１ｃ１，２１ｃ２によって一体化されるので、電力量計２２の一対の接続端子群は１つの部品で覆われる。このため、従来の同形状の一対の端子カバー２ａ，２ｂ、１２ａ，１２ｂを用いて電力量計１の一対の接続端子群を覆う場合に比べ、端子カバー２１自体の材料費が連結部２１ｃ１，２１ｃ２の分だけ上昇するものの、部品数が減るため、ネジ等の固定部材費がかからなくなると共に、部品の検査費は半減する。また、端子カバー２１を電力量計２２に取り付けて工場から梱包出荷する際、一対の２つの端子カバー２ａ，２ｂ、１２ａ，１２ｂを電力量計１の両端部にそれぞれ取り付ける従来の場合よりも、１つの端子カバー２１を電力量計２２に１回で取り付ける方が作業量が減るため、製造工程における計器梱包費なども半減する。このため、工場における生産性が向上してトータル的にコストの抑制が図れ、現状からのさらなる製品のコストダウンを図ることが可能になる。また、電力量計２２が実際に取り付けられる実フィールドにおいても、電力量計２２への電線の取り付け、取り外しに伴って行われる、端子カバー２１を電力量計２２に取り付けたり取り外したりする作業が容易になり、端子カバー２１の操作性が向上する。
【００２８】
また、本実施の形態による端子カバー２１によれば、端子カバー２１の係合部２１ｄは、端子カバー２１の取り付け時に電力量計２２の前面中央部の表示部２２ｃ近傍に位置するため、被係合部２２ｄとの係合を指で解除することの出来る操作性の良い作用部２１ｄ２を係合部２１ｄに設けるスペースが確保される。このため、端子カバー２１を電力量計２２から取り外す手がかりとなる作用部２１ｄ２を、電力量計２２の両側部外周に突出することなく備えた端子カバー２１を提供することが可能になり、電力量計２２を複数密着した状態で横並びに分電盤内に取り付けることも可能になる。さらに、係合部２１ｄの形成位置が電力量計２２の接続端子群から離れ、係合部２１ｄの操作時に工事作業者の指が接続端子群に近づかなくなるため、安全性が高まる。
【００２９】
また、本実施の形態による端子カバー２１によれば、作用部２１ｄ２によって係合解除機構が構成され、各係合部２１ｄの作用部２１ｄ２が作業者の両手の親指および人差し指などで同時に摘まれて筐体の前面中央部側の方向Ａに力が加えられることで、各爪部２１ｄ１と各被係合部２２ｄとの係合が簡単に解除される。このため、係合が解除された端子カバー２１をそのまま手前に引けば、端子カバー２１は容易に電力量計２２から取り外せ、より操作性の向上した電力量計２２の端子カバー２１が提供される。
【００３０】
図５は、本実施の形態の変形例による端子カバー２１Ａの斜視図である。なお、同図において図３（ａ）と同一または相当する部分には同一符号を付してその説明は省略する。
【００３１】
上記の実施の形態の端子カバー２１は、図３（ａ）に示すように、連結部２１ｃ１，２１ｃ２に挟まれた領域２１ｆは何も存在しない空間であった。しかし、この変形例による端子カバー２１Ａは、領域２１ｆに相当する領域にも透明樹脂が充填されて樹脂成型されて、連結部２１ｃ３が形成されている。連結部２１ｃ３は、電力量計２２の筐体の前面中央部の表示部２２ｃを覆う形状を有して、一対の端子被覆部２１ａ，２１ｂを連結する。
【００３２】
このような本変形例による端子カバー２１Ａによれば、電力量計２２の筐体の前面中央部を覆う連結部２１ｃ３が、従来の図１（ａ）に示す透明カバー３として機能する。このため、端子カバー２１が従来の一対の端子カバー２ａ，２ｂ、１２ａ，１２ｂに加えて透明カバー３としても働き、１つの部品で働く機能が増えて電力量計２２の生産性はより一層向上する。
【００３３】
なお、上記の実施の形態では、係合部２１ｄおよび被係合部２２ｄが表示部２２ｃの上下両端部の各左右に４箇所設けられた場合について説明した。しかし、表示部２２ｃの上下両端部の各中央に２箇所設ける構成としてもよい。この構成によれば、２箇所に設ける係合部２１ｄを大きく形成するなどして強度を高めることで、作業者の片手で作用部２１ｄ２を操作することが可能となり、端子カバー２１の操作性がより一層高まる。
【００３４】
また、上記の実施の形態では、端子カバー２１の連結部２１ｃ１，２１ｃ２を表示部２２ｃの両側部に設けたが、表示部２２ｃの中央部を通って各端子被覆部２１ａ，２１ｂとローマ字のＩの字を形成するような所定幅の連結部を設けるように構成してもよい。
【産業上の利用可能性】
【００３５】
上記の実施の形態では、端子カバー２１を取り付ける配電機器を配線用遮断器形の電子式電力量計２２とした場合について説明した。しかし、端子カバー２１を取り付ける配電機器は、配線用遮断器そのものや、漏電遮断器などでもよく、一対の端子部に挟まれた筐体の前面中央部の表示部や操作部の縦寸法が端子部の縦寸法と比べて余り大きくなければよい。このような配電機器に本発明の端子カバーを適用しても、上記の実施形態と同様な作用効果が奏される。
【符号の説明】
【００３６】
２１，２１Ａ…端子カバー
２１ａ，２１ｂ…端子被覆部
２１ｃ１，２１ｃ２，２１ｃ３…連結部
２１ｄ…係合部
２１ｄ１…爪部
２１ｄ２…作用部
２１ｄ３…基部
２１ｅ…開口部
２２…電子式電力量計
２２ａ…電源側
２２ｂ…負荷側
２２ｃ…表示部（前面中央部）
２２ｄ…被係合部
２２ｅ…凸部
２２ｅ１…貫通穴
【図１】
2013024767.tif 000003
【図２】
2013024767.tif 000004
【図３】
2013024767.tif 000005
【図４】
2013024767.tif 000006
【図５】
2013024767.tif 000007